(57)【特許請求の範囲】
【請求項１】
複数のパーツを所定順序で互いに嵌合させることで１つの部位を構成する前記パーツそれぞれが、折り曲げ部を有する連結部で連結されて一体に成形され、
且つ、異なる前記部位を構成する部位違いのパーツが接続部で互いに接続されてランナー形態に成形されてなり、
前記接続部を切断することで各部位を構成する前記パーツが一体に得られ、前記連結部の前記折り曲げ部で折り曲げて所定順序で当該パーツを嵌合させて当該部位を組み立て、組み立てた各部位を組み合わせることで所定の目的体とすることができるランナーレスのプラスチックモデルキット。
【請求項２】
複数のパーツを所定順序で互いに嵌合させることで１つの部位を構成する前記パーツそれぞれが、折り曲げ部を有する連結部で連結されて一体に成形され、
且つ、異なる前記部位を構成する部位違いのパーツが接続部で互いに接続されてランナー形態に成形されてなり、
前記連結部の前記折り曲げ部で折り曲げて所定順序で各部位を構成する前記パーツを嵌合させて当該部位を組み立て、前記接続部を切断することにより当該各部位ごとに分割し、当該各部位を組み合わせることで所定の目的体とすることができるランナーレスのプラスチックモデルキット。
【請求項３】
請求項１又は請求項２において、
前記ランナー形態における各部位の配置構成が、前記目的体を所定視点から見た時の各部位の位置関係に従った配置構成となるように成形されたプラスチックモデルキット。
【請求項４】
請求項１乃至請求項３のいずれか一項において、
前記接続部で互いに連結されるパーツには、当該接続部を切断した後に互いに係合可能とする係合部が、当該接続部近傍に設けられており、
全ての前記接続部を切断した後に、前記係合部を係合させることで、前記ランナー形態に相当する状態に戻すことが可能であるプラスチックモデルキット。
【請求項５】
請求項４において、
前記パーツの前記係合部近傍に、当該係合部であることを示すマーカが設けられている、プラスチックモデルキット。
【請求項６】
請求項１乃至請求項５のいずれか一項において、
前記連結部には、
１８０度以下の角度で折り曲げる第１種連結部と、
ねじれと湾曲を許容する索状構造体でなる第２種連結部と、
が少なくとも含まれる、プラスチックモデルキット。
【請求項７】
請求項１乃至請求項６のいずれか一項において、
前記部位には、当該部位を構成するパーツを層状に嵌合させて組み立てる多層構造を有する部位が含まれる、プラスチックモデルキット。
【発明の詳細な説明】
【技術分野】
【０００１】
本発明は、プラスチックモデルキットに関する。
【背景技術】
【０００２】
プラスチックモデルキットの多くは、射出成形される。そのため、組み立て前のプラスチックモデルキットには、主たる樹脂の流路となるランナーと、複数のパーツと、ランナーとパーツを結ぶゲートとが一体に構成されている（例えば、特許文献１）。
【０００３】
なかには、プラスチックモデルキットに不慣れな初心者や年少者向けに、極めて組み立てが容易となるものも知られている（例えば、特許文献２）。
【先行技術文献】
【特許文献】
【０００４】
【特許文献１】特許第４４０６０４２号公報
【特許文献２】実公平８−７９１５号公報
【発明の概要】
【発明が解決しようとする課題】
【０００５】
特許文献１に代表される従来のプラスチックモデルキットでは、パーツをランナーやゲートから切り離した後に、説明書の手順に従って組み立てることとなる。パーツは全体のごく一部でしかない。そのため、パーツを見ただけでは完成品のどこの構成部材かが分かり難く、初心者や年少者にとってはパーツを切り離してみたものの、組み立てるために必要なパーツ同士の正しい組み付け姿勢すらわからない、という事態が生じ得る。
【０００６】
これに対して、特許文献２のプラスチックモデルキットはランナーが無く、隣接して配置された２つのパーツのみで構成されている。また、この２つのパーツは、表面のモデルと裏面のモデルとで構成され、互いのパーツを繋ぐゲートを１８０度折り曲げるだけで完成となる。パーツをランナーやゲートから切り離す作業が無いので、プラスチックモデルキットに不慣れな初心者や年少者でも簡単に組み立てできる。しかし、この構成ではあまりにも組み立てが容易に過ぎ、組み立てることに面白味のあるプラスチックモデルキットの本来の醍醐味が無い。また、表面のパーツと裏面のパーツとを組み合わせるだけであるため、完成体となるプラスチックモデルの精巧さに欠け、可動部も無いため、この点でも面白味に欠ける。
【０００７】
本発明は、上述の事情を鑑みて考案されたものである。その目的とするところは、ある程度の組み立ての難易度と、プラスチックモデルキットの面白味とを有する新たなプラスチックモデルキットの技術を提供することである。
【課題を解決するための手段】
【０００８】
本発明のプラスチックモデルキットは、複数のパーツ（例えば、図３の顔パーツ１０１、後頭部パーツ１０３、左装飾パーツ１０４Ｌ、右装飾パーツ１０４Ｒ）を所定順序で互いに嵌合させることで１つの部位（例えば、図３の頭部アッシー１００）を構成する前記パーツそれぞれが、折り曲げ部を有する連結部（例えば、図３の折曲部８）で連結されて一体に成形され、且つ、異なる前記部位を構成する部位違いのパーツが接続部（例えば、図８のゲート４）で互いに接続されてランナー形態に成形されてなり、前記接続部を切断することで各部位を構成するパーツが一体に得られ、前記連結部の前記折り曲げ部で折り曲げて所定順序で当該パーツを嵌合させていくことで当該部位を組み立て、組み立てた各部位を組み合わせることで所定の目的体とすることができるランナーレスのプラスチックモデルキットである。
【０００９】
また、本発明のプラスチックモデルキットは、複数のパーツを所定順序で互いに嵌合させることで１つの部位を構成する前記パーツそれぞれが、折り曲げ部を有する連結部で連結されて一体に成形され、且つ、異なる前記部位を構成する部位違いのパーツが接続部で互いに接続されてランナー形態に成形されてなり、前記連結部の前記折り曲げ部で折り曲げて所定順序で各部位を構成する前記パーツを嵌合させて当該部位を組み立て、前記接続部を切断することにより当該各部位ごとに分割し、当該各部位を組み合わせることで所定の目的体とすることができる。
【００１０】
本発明のプラスチックモデルキットにおいて、前記ランナー形態における各部位の配置構成が、前記目的体を所定視点から見た時の各部位の位置関係に従った配置構成となるように成形されることが好ましい。
【００１１】
本発明のプラスチックモデルキットにおいて、前記接続部で連結されるパーツには、当該接続部を切断した後に互いに係合可能とする係合部（例えば、図８の係合部６（係合突起６１、突起嵌着穴６２）が、当該接続部近傍に設けられており、全ての前記接続部を切断した後に、前記係合部を係合させることで、前記ランナー形態に相当する状態に戻すことが可能であることが好ましい。また、本発明のプラスチックモデルキットにおいて、前記パーツの前記係合部近傍に、当該係合部であることを示すマーカが設けられていることが好ましい。
【００１２】
本発明のプラスチックモデルキットにおいて、前記連結部には、１８０度以下の角度で折り曲げる第１種連結部（例えば、図９の折曲部８）と、ねじれと湾曲を許容する索状構造体でなる第２種連結部（例えば、図９の索状部９）と、が含まれることが好ましい
【００１３】
本発明のプラスチックモデルキットにおいて、前記部位には、当該部位を構成するパーツを層状に嵌合させて組み立てる多層構造を有する部位（例えば、図１１〜１４の胴部アッシー１１０）が含まれることが好ましい。
【図面の簡単な説明】
【００１４】
【図１】未使用状態のプラスチックモデルキットの構成例を示す正面図
【図２】未使用状態のプラスチックモデルキットの構成例を示す左側面図。
【図３】プラスチックモデルキットの組み立て前の分離状態を示す正面図。
【図４】プラスチックモデルキットの完成品の正面図。
【図５】未使用状態のプラスチックモデルキットの各パーツと、目的体の主要部位との関係を示す図（その１）。
【図６】未使用状態のプラスチックモデルキットの各パーツと、目的体の主要部位との関係を示す図（その２）。
【図７】未使用状態のプラスチックモデルキットの各パーツと、目的体の主要部位との関係を示す図（その３）。
【図８】未使用状態のプラスチックモデルキットにおける単独部位と予備組立部位および部位違いのパーツ同士の連結、並びにパーツ同士の連結構造について説明する為の図。
【図９】索状部の構成と機能について説明する為の図。
【図１０】胴部アッシーの予備組み立て前の状態を示す図であって、（１）正面図、（２）左側面の側面図。
【図１１】胴部アッシーの予備組み立て手順を説明するための状態遷移図（その１）。
【図１２】胴部アッシーの予備組み立て手順を説明するための状態遷移図（その２）。
【図１３】予備組み立て後の胴部アッシーの左側面図。
【図１４】１）予備組み立て後の胴部アッシーの上面図、（２）同上面図を構造が理解し易いように簡略化した図。
【図１５】未使用状態（ランナー形態）に相当する状態に戻したプラスチックモデルキットの正面図。
【発明を実施するための形態】
【００１５】
図１は、本発明を適用した未使用状態のプラスチックモデルキット３の構成例を示す正面図である。図２は、同プラスチックモデルキット３の左側面図である。なお、各図中の方向表示は、完成品である目的体における前後・左右・上下の関係を示している。
【００１６】
本実施形態のプラスチックモデルキット３は、例えば３プレートタイプ、ホットランナータイプの金型を用いた射出成形により一体成形されている。本実施形態において、未使用状態のプラスチックモデルキット３の形態を「ランナー形態」と呼ぶ。ランナー形態は、プラスチックモデルキット３を内包するパッケージ全体の厚み（上下方向の幅）を薄くできるようにデザインされている。
【００１７】
図３は、プラスチックモデルキット３の組み立て前の分離状態を示す正面図である。図４は、本実施形態の目的体となる完成品の正面図である。図５〜図７は、未使用状態のプラスチックモデルキット３の各パーツと、目的体の主要部位との関係を示す図である。各図中の方向表示は、目的体における前後・左右・上下の関係を示している。
【００１８】
本実施形態のプラスチックモデルキット３は、人型のヒーローロボットのデザインを有する目的体を組み立てるためのキットである。
すなわち、プラスチックモデルキット３を作るには、ユーザは、図３に示すように、一体成形されていたパーツを部位別に単体又は幾つかのグループに切り分ける。部位別のグループに切り分けたパーツ群は分解可能な嵌め込み構造を有しているため、ユーザは予備組み立てを行って部位別のアッシー（Assy）を作る。そして、単体のパーツ及び予備組み立てしたアッシーを組み合わせることで、図４に示すような人型ヒーローロボットを作り上げる。
【００１９】
本実施形態のプラスチックモデルキット３は、目的体を構成する主要な部位として、頭部アッシー１００と、胴部アッシー１１０と、左肩アッシー１２０と、右肩アッシー１３０と、左腕アッシー１４０と、右腕アッシー１５０と、左脚アッシー１６０と、右脚アッシー１７０とを有する。また、これら主要部位を装飾する部位として、左腕武器パーツ２２０と、右腕武器パーツ２３０と、左脚武器アッシー２４０と、右脚武器アッシー２５０と、左翼パーツ２６０と、右翼パーツ２７０とを、左脚武器装飾パーツ２８０と、右脚武器装飾パーツ２９０と、を有する。
【００２０】
そして、図１及び図５〜図７に示すように、未使用状態のプラスチックモデルキット３（図１参照）におけるこれらの各部位の展開配置位置関係は、目的体のプラスチックモデルキット３を正面から見た時の各パーツの位置関係を容易に想起させるように設定されている。換言すると、ランナー形態におけるプラスチックモデルキット３の各部位の配置構成は、目的体を所定視点から見た時の各部位の位置関係に従った配置構成となるように成形されており、目的体となったときの各部位の位置の目安を示している。
【００２１】
目的体の体躯を構成する主要部位及び幾つかの要所は、ボールジョイントとソケットによる嵌め込み構造部や軸嵌合構造によって着脱自在に連結されて組み合わされる。主要部位と脚武器装飾パーツも、嵌合構造により着脱自在に連結されて組み合わされる。よって、ユーザは目的体の人型ヒーローロボットの頭・肩・腕・脚・膝・足首を可動させて様々なポーズをとらせることができる。
【００２２】
各部位は、組み合わせ前の予備組み立ての要否の観点から、それ単独で当該部位を成す「単独部位」と、複数のパーツを所定順序で互いに嵌合させることで１つの部位を構成する「予備組立部位」との２種類に分けられる。
【００２３】
「単独部位」には、左腕武器パーツ２２０と、右腕武器パーツ２３０と、左翼パーツ２６０と、右翼パーツ２７０と、左脚武器装飾パーツ２８０と、右脚武器装飾パーツ２９０とが該当する。
【００２４】
「予備組立部位」には、頭部アッシー１００と、胴部アッシー１１０と、左肩アッシー１２０と、右肩アッシー１３０と、左腕アッシー１４０と、右腕アッシー１５０と、左脚アッシー１６０と、右脚アッシー１７０と、左脚武器アッシー２４０と、右脚武器アッシー２５０と、が該当する。
【００２５】
図３を参照しながら「予備組立部位」についてより具体的に述べる。
頭部アッシー１００は、顔パーツ１０１と、頸部ボールジョイント１０２を有する後頭部パーツ１０３と、左装飾パーツ１０４Ｌと、右装飾パーツ１０４Ｒと、を有する。同一のアッシーを構成する各パーツには互いに嵌合構造が設けられており、当該嵌合構造で連結させて予備組み立てされる。すなわち、頭部アッシー１００は、後頭部パーツ１０３に対して顔パーツ１０１と、左装飾パーツ１０４Ｌと、右装飾パーツ１０４Ｒと、をそれぞれ組み付けることで予備組み立て（アッセンブリー）される。
【００２６】
胴部アッシー１１０は、上胴核パーツ１１１と、下胴核パーツ１１３と、４つの胴外殻パーツ１１４ａ〜１１４ｄと、左肩ソケットパーツ１１５Ｌと、右肩ソケットパーツ１１５Ｒと、腹部パーツ１１６と、腰部パーツ１１７と、を有する。上胴核パーツ１１１には、首ソケット１１２が設けられている。また、腰部パーツ１１７には、左脚ボールジョイント１１８Ｌと右脚ボールジョイント１１８Ｒが設けられている。
【００２７】
左肩アッシー１２０は、左肩ボールジョイント１２１を有する左腕ソケットパーツ１２２と、上左肩パーツ１２３と、下左肩パーツ１２４とを有する。
右肩アッシー１３０は、右肩ボールジョイント１３１を有する右腕ソケットパーツ１３２と、上右肩パーツ１３３と、下右肩パーツ１３４とを有する。
【００２８】
左腕アッシー１４０は、左腕ボールジョイント１４１を有する左上腕パーツ１４２と、左前腕パーツ１４４と、左手首パーツ１４５とを有する。
右腕アッシー１５０は、右腕ボールジョイント１５１を有する右上腕パーツ１５２と、右前腕パーツ１５４と、右手首パーツ１５５とを有する。
【００２９】
左脚アッシー１６０は、左足首ボールジョイント１６１を有する左足パーツ１６２と、左下腿パーツ１６４と、左下腿装飾パーツ１６５と、左上腿パーツ１６７とを有する。
右脚アッシー１７０は、右足首ボールジョイント１７１を有する右足パーツ１７２と、右下腿パーツ１７４と、右下腿装飾パーツ１７５と、右上腿パーツ１７７とを有する。
【００３０】
左脚武器アッシー２４０は、左脚武器内パーツ２４１と、左脚武器外パーツ２４２とを有する。
右脚武器アッシー２５０は、右脚武器内パーツ２５１と、右脚武器外パーツ２５２とを有する。
【００３１】
図８は、未使用状態のプラスチックモデルキット３における単独部位と予備組立部位および部位違いのパーツ同士の連結、並びにパーツ同士の連結構造について説明する為の図であって、図１に向かって右上部の拡大図に相当する。
【００３２】
未使用状態のプラスチックモデルキット３は、各パーツそれ自体がメインランナー（各部へ流入する樹脂を通すための通路）として機能するランナーレス構造である。
すなわち、単独部位と予備組立部位および部位違いのパーツ同士は、互いに近接配置されていて近接箇所を結ぶようにゲート４で連結されているが、一般的なプラスチックモデルキットにおける各パーツを囲む枠のようなメインランナーに相当する部分が無い。ゲート４は、接続部に相当する。勿論、組み立てする際にはゲート４は切断・切除される（図３参照）。
【００３３】
そして、本実施形態のプラスチックモデルキット３では、ゲート４で連結される２つの要素（パーツ；単独部位又は予備組立部位のパーツ）それぞれに、ゲート４の近傍位置に当該ゲート４の位置を示すマーカ５がモールドされており、ユーザがマーカ５を頼りにゲート４を簡単に識別することができるようになっている。
【００３４】
また、ゲート４で連結される２つの要素には、ゲート４の近傍にゲート切除後でも再び連結可能とするための係合部６が設けられている。本実施形態では、一方の要素に係合突起６１が突設され、他方の要素には突起嵌着穴６２（又は嵌着孔）が設けられており、両者を嵌合させることで再連結可能となっている。マーカ５はその要素における係合部６の位置を示す役割も果たす。
【００３５】
本実施の形態のプラスチックモデルキットでは、係合部６を有することにより目的体を完成させた後に再び各部位同士の組み合わせを解いて、更に各部位のパーツを組み立て前の状態としてランナー形態に相当する状態に戻すことができる。よって、組んでバラしてまた組んでといった具合に、プラスチックモデルキットの組み立てを何度も楽しむことができる。また、目的体を完成させた状態で保管するよりも薄型になるのでコレクションの収容性に優れる。また、マーカ５を有することにより、何処が係合部であるかが明示される。つまり、ランナー形態に相当する状態に戻す際の目印となり、作業の手助けとなる。
【００３６】
一方、予備組立部位を構成するパーツのうち幾つかは折曲部８で連結されている。
折曲部８は、標準的なゲート４よりも狭窄な部分であって、所定の位置で所定方向への弾性曲げが容易となるように山形の薄肉部８２を備える。折曲部８は切除されずに組み立てに利用される。隣接配置されたパーツ同士は、この折曲部８で折り曲げて突き合わせると、それぞれの突き合わせ面に設けられた微小嵌合構造（非図示）で再分離可能に連結されて予備組み立てされる。
【００３７】
例えば、図８における頭部アッシー１００の顔パーツ１０１と後頭部パーツ１０３の間、後頭部パーツ１０３と左装飾パーツ１０４Ｌの間に折曲部８が設けられている。なお、図８には示されていないが、図３に示すように、頭部アッシー１００の後頭部パーツ１０３と右装飾パーツ１０４Ｒの間にも折曲部８が設けられている。
【００３８】
図３に示すように、同様にして、胴部アッシー１１０では、上胴核パーツ１１１と腹部パーツ１１６の間、腹部パーツ１１６と腰部パーツ１１７の間、上胴核パーツ１１１と左肩ソケットパーツ１１５Ｌの間、上胴核パーツ１１１と右肩ソケットパーツ１１５Ｒの間、下胴核パーツ１１３と４つの胴外殻パーツ１１４ａ〜１１４ｄそれぞれの間、に折曲部８が設けられている。
【００３９】
右肩アッシー１３０では、右腕ソケットパーツ１３２と上右肩パーツ１３３の間、上右肩パーツ１３３と下右肩パーツ１３４の間、に折曲部８が設けられている。
【００４０】
左腕アッシー１４０では、左前腕パーツ１４４と左手首パーツ１４５の間に折曲部８が設けられている。
右腕アッシー１５０では、右前腕パーツ１５４と右手首パーツ１５５の間に折曲部８が設けられている。
【００４１】
左脚アッシー１６０では、左下腿パーツ１６４と左下腿装飾パーツ１６５との間に折曲部８が設けられている。
右脚アッシー１７０では、右下腿パーツ１７４と右下腿装飾パーツ１７５の間に折曲部８が設けられている。
【００４２】
左脚武器アッシー２４０では、左脚武器内パーツ２４１と左脚武器外パーツ２４２の間に折曲部８が設けられている。
右脚武器アッシー２５０では、右脚武器内パーツ２５１と右脚武器外パーツ２５２の間に折曲部８が設けられている。
【００４３】
なお、本実施形態の折曲部８は、１８０°以下の角度で折り曲げる連結部に相当する。
【００４４】
ただし、折曲部８は隣接するパーツ同士を蝶番状に連結する構造である。そのため、パーツ同士の連結を折曲部８にのみ頼り、折曲部８での折り曲げによる予備組み立てのみで構成すると、目的体の意匠や可動部の自由度が制限されてしまう。
そこで本実施形態では、蝶番構造による単なる折り曲げでは対処できないこと、例えば組み付けの際にパーツ同士を捻るように位置関係を変更したり、パーツ同士を離間させたりすることができるように、自由度の高い“索状部９”でパーツ同士を連結させる。つまり、索状部９は、ねじれと湾曲を許容する索状構造体でなる連結部と言える。
【００４５】
図９は、索状部の構成と機能について説明する為の図であって、（１）左脚アッシー１６０の予備組み立て前の正面図と、（２）予備組み立て後の状態とを示す斜視図である。
【００４６】
左下腿パーツ１６４と左下腿装飾パーツ１６５は、単純に折曲部８を蝶番のように機能させて、およそ１８０°曲げて折り合わせると予備組み立てできる。
しかし、左上腿パーツ１６７と左下腿パーツ１６４の組み付け部位は膝関節として機能するようにデザインされている。よって、少なくとも１つの回転軸で可動に嵌合させる必要があるのだが、軸の長さを必要十分に確保するためには左上腿パーツ１６７と左下腿パーツ１６４とを折曲部で単なる折り合わせるように構成したのでは軸を嵌合させることができない。
【００４７】
また、左足パーツ１６２の左足首ボールジョイント１６１を、左下腿パーツ１６４の左足首ソケット１６９へ組み付ける際にも、足首の可動自由度を確保するためには左足パーツ１６２と左下腿パーツ１６４とを折曲部で蝶番構造で構成したのでは不適当である。両者の予備組み立てでは、左足首ボールジョイント１６１を左足首ソケット１６９の口へ押し当て、押し当て角度を調整しつつ弾性変形により押し広げて差し込む必要もあり、これまた単なる折り合わせでは不可能である。
【００４８】
そこで、こうした蝶番構造での組み立てが不適当なパーツ同士の連結には索状部９を用いる。
【００４９】
索状部９は、連結させるパーツを近傍箇所以外で連結する捻りと曲げを許容する連結構造体である。本実施形態の索状部９は、複数の節部９１を弾性変形し易い薄板部９２で連結した索状構造としている。勿論、節部９１を省略した１本の薄板部９２や、単なる長細い部材で構成するとしてもよい。しかし、単なる弾性のある細紐様の形態では、ゲート４と間違われて組み立て時に切除される恐れがあるので、本実施形態の索状部９は背骨のようなデザインを与えており、切除されるべきでないとユーザに思わせるデザインとしている。
【００５０】
索状部９は、連結させるパーツの相対位置を折曲部８よりも遙かに自由に変更できる。よって、左上腿パーツ１６７と左下腿パーツ１６４を、膝関節の軸合わせをしながら予備組み立てできる。また、ボールジョイントとソケットによる足首の高い可動自由度も確保できる。
【００５１】
図１０は、胴部アッシー１１０の予備組み立て前の状態を示す図であって、（１）正面図、（２）左側面図である。胴部アッシー１１０においても、上胴核パーツ１１１と下胴核パーツ１１３との連結に、両者の近傍箇所以外の部分を結ぶ索状部９が使用されている。
【００５２】
図１１と図１２は、胴部アッシー１１０の予備組み立て手順を説明するための状態遷移図である。
図１１（１）に示すような予備組み立て前の状態から、図１１（２）に示すように索状部９を曲げながら下胴核パーツ１１３を上胴核パーツ１１１の下面に嵌合させる。両パーツは略球形の胴体の中心部を構成する。そのため、両パーツの組み付けはインロー構造になっており、折曲部８による折り合わせでは嵌まらない。しかし、索状部９により連結しているので、図１１（３）に示すように下胴核パーツ１１３を上胴核パーツ１１１の中心軸を合わせてから当該中心軸に沿って徐々に近づけて組み付けて嵌合させることが可能になる。
組み付け状態における索状部９の形態に着目すれば、当該索状部９は薄板部９２がそれぞれ９０°未満で折り曲げられる連結部として機能しているとも言える。
【００５３】
本実施の形態プラスチックモデルキットでは、複数種類の連結部を用意することで様々な姿勢でのパーツ同士の組み立てを可能にし、目的体のデザインの自由度や、可動部の自由度を確保することができる。
【００５４】
さて、胴体の核ができたならば、次に腹から腰に掛けて予備組み立てをする。
すなわち、図１１（３）に示すように、腰部パーツ１１７を、腹部パーツ１１６との間の折曲部８にて折りまげて腹部パーツ１１６に嵌着させる。次いで、図１２（１）に示すように、腹部パーツ１１６と上胴核パーツ１１１との間の折曲部８にて折りまげて、腰部パーツ１１７を下胴核パーツ１１３の下端に嵌着させる。
【００５５】
次に、図１２（２）に示すように、左肩ソケットパーツ１１５Ｌと、右肩ソケットパーツ１１５Ｒとを、それぞれ折曲部８により上方へ折りまげて上胴核パーツ１１１の左右側面に嵌着させる。そして、仕上げとして、図１２（３）に示すように、４つの胴外殻パーツ１１４ａ〜１１４ｄをそれぞれの折曲部８で上方へ向けて折りまげて上胴核パーツ１１１の前後左右の４側面に嵌着させる。
【００５６】
図１３は、予備組み立て後の胴部アッシー１１０の左側面図である。
図１４は、（１）予備組み立て後の胴部アッシー１１０の上面図、（２）同上面図を構造が理解し易いように簡略化した図である。
【００５７】
予備組み立て後の胴部アッシー１１０は、胸部・腹部・腰部が一体となった部位である。すなわち、全体として、胴外殻パーツ１１４ａ〜１１４ｄが上胴核パーツ１１１及び下胴核パーツ１１３で成す略球形の胴核の上部外周を覆った多層構造を形成し、ボリュームのある胸部を構成している。そして、胴外殻パーツ１１４ａ〜１１４ｄの下端から続く下胴核パーツ１１３から腰部パーツ１１７への先細りのシルエットと相まって、逆三角形の力強い人型ヒーローロボットの胴体が表現されている。
【００５８】
ここで着目すべきは、胸部の厚さ、すなわちそのボリューム感である。
もし、胴部アッシー１１０を、胴外殻パーツ１１４ａ〜１１４ｄ無しに構成すると、未使用状態のプラスチックモデルキット３のキットとしての許容厚さＤｋ（図２参照）を限界まで利用したとしても、許容厚さＤｋの２倍を超える胸部の厚さとボリューム感は表現できない。しかし、胴外殻パーツ１１４ａ〜１１４ｄを胴核に積層状に配置・連結することにより、上述のような厚くボリューム感のある胸部を表現可能になっている。本実施の形態のプラスチックモデルキットによれば、ランナー形態でのキットの厚さを超える厚さとボリューム感のある部位を構成可能とし、目的体のデザイン自由度を高めることができる。
【００５９】
また、胴外殻パーツ１１４ａ，１１４ｄのペアが左肩ソケットパーツ１１５Ｌの折曲部８を覆い隠し、胴外殻パーツ１１４ｂ，１１４ｃのペアが右肩ソケットパーツ１１５Ｒの折曲部８を覆い隠すように配置されている。これにより、左肩ソケットパーツ１１５Ｌや右肩ソケットパーツ１１５Ｒと、上胴核パーツ１１１との嵌合を、胴外殻パーツ１１４ａ〜１１４ｄが外から支えて補強する構成となっている。すなわち、目的体において、ユーザーが可動部位（関節部位）である肩を動かして遊ぶ場合に、肩から腕が脱落する補強構造をなす。
【００６０】
また、胴部アッシー１１０の索状部９は、胴外殻パーツ１１４ｃ，１１４ｄのペアにより外側が覆われる。当該索状部９は、予備組み立て後は外向きに緩い弧を描いた状態となる。もし、目的体において当該索状部９が露出したままだと、誤って胴部アッシー１１０の索状部９を外から押しつぶすように目的体を握ると、索状部９の弾性反発によって胴核が分離する可能性がある。しかし、索状部９を胴外殻パーツ１１４ｃ，１１４ｄのペアが覆うことで、そうした事態を防ぐことができる。
【００６１】
プラスチックモデルキット３の組み立て手順は次の通りとなる。
手順［１］：未使用状態（図１参照）から、ゲート４を切除して予備組立部位のパーツ群及び単独部位のパーツに分ける（図３参照）。
手順［２］：予備組立部位のパーツ群を予備組み立てする（図９〜図１３参照）。
手順［３］：胴部アッシー１１０の首ソケット１１２に頭部アッシー１００の頸部ボールジョイント１０２を嵌める。
【００６２】
手順［４］：左腕アッシー１４０の左腕ボールジョイント１４１を、左肩アッシー１２０の左腕ソケットパーツ１２２に嵌め、左肩アッシー１２０の左肩ボールジョイント１２１を胴部アッシー１１０の左肩ソケットパーツ１１５Ｌに嵌める。
手順［５］：右腕アッシー１５０の右腕ボールジョイント１５１を、右肩アッシー１３０の右腕ソケットパーツ１３２に嵌め、右肩アッシー１３０の右肩ボールジョイント１３１を胴部アッシー１１０の右肩ソケットパーツ１１５Ｒに嵌める。
【００６３】
手順［６］：左脚アッシー１６０の左脚ソケット１６８を胴部アッシー１１０の左脚ボールジョイント１１８Ｌに嵌める。
手順［７］：右脚アッシー１７０の右脚ソケット１７８を胴部アッシー１１０の右脚ボールジョイント１１８Ｒに嵌める。
これで、目的体の体躯が出来たことになる。
【００６４】
手順［８］：左腕武器パーツ２２０を左前腕パーツ１４４に嵌着させ、右腕武器パーツ２３０を右前腕パーツ１５４に嵌着させる。
手順［９］：左脚武器アッシー２４０を左下腿パーツ１６４に嵌着させ、右脚武器アッシー２５０を右下腿パーツ１７４に嵌着させる。
手順［１０］：左翼パーツ２６０及び右翼パーツ２７０を胴部アッシー１１０へ嵌着させる。
手順［１１］：左脚武器装飾パーツ２８０を左脚武器アッシー２４０に嵌着させ、右脚武器装飾パーツ２９０を右脚武器アッシー２５０に嵌着させる。
【００６５】
なお、本実施形態のプラスチックモデルキット３は、未使用状態から目的体まで組み立てを完了した後に、再び分解して未使用状態（ランナー形態）に相当する状態に戻すことができる。
すなわち、上記の手順［１１］から手順［２］へ逆順に行う。そして、図１５に示すように、各部を未使用状態のプラスチックモデルキット３の時のおおよその配置位置関係に並べ、隣接するパーツ同士で係合突起６１を突起嵌着穴６２に嵌め込んで（図８参照）、再連結させることができる。当然、係合突起６１と突起嵌着穴６２との連結を解けば、上記の手順で再び目的体を組み立てて遊ぶことができる。
つまり、１つのプラスチックモデルキット３で、何度もキットを組み立てる楽しみを再現して楽しむことができる。また、未使用状態（ランナー形態）に相当する状態に戻して収納することができるのでプラスチックモデルキット３を目的体で収納するよりも収納性に優れる。
【００６６】
以上、本実施形態によれば、目的体（完成品）を構成する複数のパーツは、部位毎にまとまって連結部で連結されている。そして、異なる部位のパーツ間が接続部で連結されて一体のランナー形態となっている。よって、目的体を作り上げるために接続部を切断しても、特定の部位を構成するパーツがバラバラにはならない。そして、連結部の折り曲げ部で折り曲げてパーツ同士を嵌合させ各部位を予備組み立てした後に、それらの部位同士を組み合わせれば簡単に目的体を完成させることができる。つまり、全てのパーツをランナーから切り離して組立説明書を参考にしながら組み立てるキットよりは遙かに簡単でありながら、ある程度の組立難易度を有し、且つプラスチックモデルキット３の面白味を有する新たなプラスチックモデルキット３を実現することができる。
【００６７】
なお、本発明の実施形態は上記に限るものではなく、適宜構成要素の追加・変更・省略ができる。例えば、上記実施形態では完成形を人型としているが、動物や想像上のモンスター、乗り物、武器などその他のものでもよいのは勿論である。
【００６８】
また、上記実施形態では、プラスチックモデルキット３は１つのランナー形態でパッケージされているとして例示したが、本発明は複数のランナー形態のキットに分けてパッケージされている構成であっても同様に適用できる。例えば、上半身のランナー形態と、下半身のランナー形態といった具合である。この場合には、上半身のランナー形態のプラスチックモデルで上半身を組み立てるため、当該プラスチックモデルの目的体は上半身（完成体の手前の段階の意味で中間体といえる）となる。
【００６９】
また、上記実施形態では、接続部を切断した後に、連結部の折り曲げ部を折り曲げてパーツ同士を嵌合させる場合を例示したが、それに限られることはない。例えば、少なくとも一部のパーツにおいては、連結部の折り曲げ部を折り曲げてパーツ同士を嵌合させて各部位を予備組立した後に、接続部を切断して各部位ごとに分割し、当該各部位を組み合わせることによって所定の目的体を形成してもよい。各部位を予備組立した後に、接続部を切断することにより、組立時にパーツがバラバラになることを更に防ぐことができ、より組み立てやすいプラスチックモデルキットを提供することができる。
【００７０】
また、接続部の一例としてゲート４を採用して説明したが、接続部の大きさや形状は、上記実施形態の例に限らず適宜設定可能である。例えば、いわゆる「タッチゲート」と呼ばれる接続部を採用するとしてもよい。タッチゲートとは、ニッパーやカッターなどの工具を使わずに手でちぎれる程のゲートと呼ぶことができ、点接触に近い極小の接続部である。タッチゲートを採用するとゴミを少なくでき、且つ、プラスチックモデルキットからパーツを取り出す作業性を向上させることができる。
【符号の説明】
【００７１】
３…プラスチックモデルキット
４…ゲート
５…マーカ
６…係合部
６１…係合突起
６２…突起嵌着穴
８…折曲部
８２…薄肉部
９…索状部
９１…節部
９２…薄板部
１００…頭部アッシー
１０１…顔パーツ
１０２…頸部ボールジョイント
１０３…後頭部パーツ
１０４Ｌ…左装飾パーツ
１０４Ｒ…右装飾パーツ
１１０…胴部アッシー
１１１…上胴核パーツ
１１２…首ソケット
１１３…下胴核パーツ
１１４ａ〜１１４ｄ…胴外殻パーツ
１１５Ｌ…左肩ソケットパーツ
１１５Ｒ…右肩ソケットパーツ
１１６…腹部パーツ
１１７…腰部パーツ
１１８Ｌ…左脚ボールジョイント
１１８Ｒ…右脚ボールジョイント
１２０…左肩アッシー
１２１…左肩ボールジョイント
１２２…左腕ソケットパーツ
１２３…上左肩パーツ
１２４…下左肩パーツ
１３０…右肩アッシー
１３１…右肩ボールジョイント
１３２…右腕ソケットパーツ
１３３…上右肩パーツ
１３４…下右肩パーツ
１４０…左腕アッシー
１４１…左腕ボールジョイント
１４２…左上腕パーツ
１４４…左前腕パーツ
１４５…左手首パーツ
１５０…右腕アッシー
１５１…右腕ボールジョイント
１５２…右上腕パーツ
１５４…右前腕パーツ
１５５…右手首パーツ
１６０…左脚アッシー
１６１…左足首ボールジョイント
１６２…左足パーツ
１６４…左下腿パーツ
１６５…左下腿装飾パーツ
１６６…左上腿パーツ
１６７…左上腿パーツ
１６８…左脚ソケット
１６９…左足首ソケット
１７０…右脚アッシー
１７１…右足首ボールジョイント
１７２…右足パーツ
１７４…右下腿パーツ
１７５…右下腿装飾パーツ
１７７…右上腿パーツ
１７８…右脚ソケット
２２０…左腕武器パーツ
２３０…右腕武器パーツ
２４０…左脚武器アッシー
２４１…左脚武器内パーツ
２４２…左脚武器外パーツ
２５０…右脚武器アッシー
２５１…右脚武器内パーツ
２５２…右脚武器外パーツ
２６０…左翼パーツ
２７０…右翼パーツ
２８０…左脚武器装飾パーツ
２９０…右脚武器装飾パーツ
【要約】
【課題】ある程度の組み立ての難易度と、プラスチックモデルの面白味とを有する新たなプラスチックモデルキットの技術を提供すること。
【解決手段】プラスチックモデルキット３は、人型のヒーローロボットを目的体として組み立てるためのキットである。目的体の部位（頭部・胸部・湾部・脚部）のうち、同一部位を構成するパーツは予備組み立て可能なように折り曲げ部等の連結部で連結されたグループとして展開配置されている。異なる部位のパーツ同士はゲートにより連結されている。ゲートを切り離して、複数のパーツで構成される部位を予備組み立てし、各部位を組み合わせて目的体を完成させる。
【選択図】図１【図１】
0005855304.tif 000002
【図２】
0005855304.tif 000003
【図３】
0005855304.tif 000004
【図４】
0005855304.tif 000005
【図５】
0005855304.tif 000006
【図６】
0005855304.tif 000007
【図７】
0005855304.tif 000008
【図８】
0005855304.tif 000009
【図９】
0005855304.tif 000010
【図１０】
0005855304.tif 000011
【図１１】
0005855304.tif 000012
【図１２】
0005855304.tif 000013
【図１３】
0005855304.tif 000014
【図１４】
0005855304.tif 000015
【図１５】
0005855304.tif 000016